(57)【特許請求の範囲】
【請求項１】
アノードガス及びカソードガスを燃料電池に供給して発電させる燃料電池システムであって、
前記燃料電池に供給するアノードガスの圧力を制御する制御弁と、
前記燃料電池システムの運転状態に基づいて、前記制御弁の開度を制御することによって、所定の圧力で前記燃料電池内のアノードガスの圧力を脈動させる脈動運転手段と、
前記燃料電池内のアノードガスの圧力変化に基づいて、前記燃料電池内で局所的にアノードガス濃度が低くなっている淀み点が存在するかを判断する淀み点判断手段と、
前記燃料電池から排出されるアノードオフガスを蓄えるバッファ部と、
前記燃料電池内の淀み点位置を推定する淀み点位置推定手段と、
を備え、
前記脈動運転手段は、
前記燃料電池内に淀み点が存在すると判断したときは、前記淀み点位置が前記バッファ部から遠くなるほど、前記所定の圧力を増大して脈動運転を行う、
燃料電池システム。
【請求項２】
前記燃料電池内の淀み点位置における最低アノードガス濃度を推定する最低アノードガス濃度推定手段を備え、
前記脈動運転手段は、
前記最低アノードガス濃度が所定の判定値よりも低ければ、前記淀み点が前記燃料電池内から前記バッファ部へと排出されるように前記所定の圧力を増大させる、
請求項１に記載の燃料電池システム。
【請求項３】
前記脈動運転手段は、
前記燃料電池の負荷に応じて、アノードガスの圧力の基本上限圧を算出する基本上限圧算出手段と、
前記燃料電池内の淀み点位置に応じて、その淀み点を前記燃料電池内から前記バッファ部へと排出することができるアノードガスの圧力の上限圧である淀み点排出上限圧を算出する淀み点排出上限圧算出手段と、
を備え、
前記基本上限圧と前記淀み点排出上限圧とのうちの大きいほうを、アノードガスの圧力の上限圧として脈動運転を実施する、
請求項２に記載の燃料電池システム。
【請求項４】
前記脈動運転手段は、
前記基本上限圧が高いときほど前記判定値を大きくする、
請求項３に記載の燃料電池システム。
【請求項５】
前記バッファ部内のアノードガスの濃度を推定するバッファ部アノードガス濃度推定手段を備え、
前記脈動運転手段は、
淀み点排出上限圧をアノードガスの圧力の上限圧とした場合は、前記バッファ部内のアノードガス濃度が所定の管理濃度以上になったときに、アノードガスの圧力の上限圧を前記基本上限圧に戻す、
請求項３又は請求項４に記載の燃料電池システム。
【請求項６】
前記バッファ部内のアノードガスの濃度を推定するバッファ部アノードガス濃度推定手段を備え、
前記脈動運転手段は、
淀み点排出上限圧をアノードガスの圧力の上限圧とした場合に前記バッファ部のアノードガス濃度が所定の管理濃度よりも低いときは、前記バッファ部のアノードガス濃度の増加に併せて段階的にアノードガスの圧力の上限圧を前記基本上限圧まで戻す、
請求項３又は請求項４に記載の燃料電池システム。
【請求項７】
アノードガス及びカソードガスを複数の燃料電池が積層された燃料電池スタックに供給して発電させる燃料電池システムであって、
前記燃料電池スタックに供給するアノードガスの圧力を制御する制御弁と、
前記燃料電池の出力に基づいて、アノードガスの圧力の上限値と下限値とを設定するとともに、前記出力が小さいときより大きいときの方が前記下限値が大きくなるよう設定され、前記上限値と前記下限値との間で前記燃料電池内のアノードガスの圧力が脈動するように、前記制御弁を開閉制御する脈動運転手段と、
前記燃料電池内のアノードガスの圧力の降下量に基づいて、前記燃料電池内で局所的にアノードガス濃度が低くなっている淀み点が存在するかを判断する淀み点判断手段と、
を備え、
前記脈動運転手段は、
前記燃料電池内に淀み点が存在すると判断したときは、アノードガスの圧力を前記燃料電池の出力に基づいて設定される上限値より大きくして脈動運転を行う、
燃料電池システム。
【発明の詳細な説明】
【技術分野】
【０００１】
本発明は燃料電池システムに関する。
【背景技術】
【０００２】
ＪＰ２００７−５１７３６９Ａには、従来の燃料電池システムとして、アノードガス供給通路に常閉ソレノイド弁を設け、アノードガス排出通路に上流から順に常開ソレノイド弁とバッファタンク（リサイクルタンク）とを設けたものが記載されている。【０００３】
この従来の燃料電池システムは、アノードガス排出通路に排出された未使用のアノードガスを、アノードガス供給通路に戻さないアノードガス非循環型の燃料電池システムであり、常閉ソレノイドバルブ及び常開ソレノイドバルブを周期的に開閉することで、バッファタンクに蓄えた未使用のアノードガスを燃料電池スタックに逆流させて再利用していた。
【発明の概要】
【０００４】
しかしながら、前述した従来の燃料電池システムでは、運転状態によっては燃料電池内部のアノードガス流路内で局所的にアノードガス濃度が低くなる淀み点が発生することがわかった。そして、淀み点がアノードガス流路内に存在する状態で脈動運転を続けると、反応に必要なアノードガスが不足して発電効率を低下させると共に、燃料電池を劣化させるという問題点があることがわかった。
【０００５】
本発明はこのような問題点に着目してなされたものであり、淀み点がアノードガス流路内に存在する状態で脈動運転が実施されるのを抑制し、発電効率の低下及び燃料電池の劣化を抑制することを目的とする。
【課題を解決するための手段】
【０００６】
本発明のある態様によれば、アノードガス及びカソードガスを燃料電池に供給して発電させる燃料電池システムとして、燃料電池に供給するアノードガスの圧力を制御する制御弁と、燃料電池システムの運転状態に基づいて制御弁の開度を制御することによって、所定の圧力で前記燃料電池内のアノードガスの圧力を脈動させる脈動運転手段と、燃料電池内のアノードガスの圧力変化に基づいて、燃料電池内で局所的にアノードガス濃度が低くなっている淀み点が存在するかを判断する淀み点判断手段と、燃料電池から排出されるアノードオフガスを蓄えるバッファ部と、燃料電池内の淀み点位置を推定する淀み点位置推定手段と、を備える燃料電池システムが提供される。そして、脈動運転手段が、燃料電池内に淀み点が存在すると判断されたときに、淀み点位置がバッファ部から遠くなるほど、所定の圧力を増大して脈動運転を行う。
【０００７】
本発明の実施形態、本発明の利点については、添付された図面を参照しながら以下に詳細に説明する。
【図面の簡単な説明】
【０００８】
【図１Ａ】図１Ａは、本発明の第１実施形態による燃料電池の概略斜視図である。
【図１Ｂ】図１Ｂは、図１Ａの燃料電池のＢ−Ｂ断面図である。
【図２】図２は、本発明の第１実施形態によるアノードガス非循環型の燃料電池システムの概略構成図である。
【図３】図３は、燃料電池システムの運転状態が一定の定常運転時における脈動運転について説明する図である。
【図４】図４は、本発明の第１実施形態による脈動運転制御について説明するフローチャートである。
【図５】図５は、アノード圧降下量ΔＰと、下げ過渡前バッファ濃度Ｃｂｕｆｆと、に基づいて、推定流路内最低アノードガス濃度Ｃｍｉｎを算出するマップである。
【図６】図６は、アノード圧降下量ΔＰと、下げ過渡前アノード圧Ｐｐｒｅと、に基づいて、推定淀み点距離Ｌｍｉｎを算出するマップである。
【図７】図７は、推定淀み点距離Ｌｍｉｎに基づいて、淀み点排出アノード圧上限値Ｐ１を算出するテーブルである。
【図８】図８は、本発明の第１実施形態による脈動運転制御の効果について説明する図である。
【図９】図９は、本発明の第２実施形態による脈動運転制御について説明するフローチャートである。
【図１０】図１０は、本発明の第３実施形態によるアノード圧の戻し制御について説明するフローチャートである。
【図１１】図１１は、下げ過渡運転時に調圧弁を全閉にしてアノード圧を下限圧まで低下させた場合のアノード圧の変化を示すタイムチャートである。
【図１２】図１２は、アノードガス流路の内部で局所的にアノードガス濃度が他よりも低くなる部分が発生する理由について説明する図である。
【図１３】図１３は、下げ過渡運転後にアノード圧が上昇させられた後、再度下げ過渡運転が実施されたときの問題点について説明する図である。
【発明を実施するための形態】
【０００９】
（第１実施形態）
燃料電池は電解質膜をアノード電極（燃料極）とカソード電極（酸化剤極）とで挟み、アノード電極に水素を含有するアノードガス（燃料ガス）、カソード電極に酸素を含有するカソードガス（酸化剤ガス）を供給することによって発電する。アノード電極及びカソード電極の両電極において進行する電極反応は以下の通りである。
【００１０】
アノード電極  ：    ２Ｈ2 →４Ｈ+ ＋４ｅ-             …(１)
カソード電極  ：    ４Ｈ+ ＋４ｅ- ＋Ｏ2 →２Ｈ2Ｏ     …(２)
【００１１】
この（１）及び（２）の電極反応によって燃料電池は１ボルト程度の起電力を生じる。
【００１２】
図１Ａ及び図１Ｂは、本発明の第１実施形態による燃料電池１０の構成について説明する図である。図１Ａは、燃料電池１０の概略斜視図である。図１Ｂは、図１Ａの燃料電池１０のＢ−Ｂ断面図である。
【００１３】
燃料電池１０は、膜電極接合体（Membrane Electrode Assembly；以下「ＭＥＡ」という）１１の表裏両面に、アノードセパレータ１２とカソードセパレータ１３とが配置されて構成される。
【００１４】
ＭＥＡ１１は、電解質膜１１１と、アノード電極１１２と、カソード電極１１３と、を備える。ＭＥＡ１１は、電解質膜１１１の一方の面にアノード電極１１２を有し、他方の面にカソード電極１１３を有する。
【００１５】
電解質膜１１１は、フッ素系樹脂により形成されたプロトン伝導性のイオン交換膜である。電解質膜１１１は、湿潤状態で良好な電気伝導性を示す。
【００１６】
アノード電極１１２は、触媒層１１２ａとガス拡散層１１２ｂとを備える。触媒層１１２ａは、電解質膜１１１と接する。触媒層１１２ａは、白金又は白金等が担持されたカーボンブラック粒子から形成される。ガス拡散層１１２ｂは、触媒層１１２ａの外側（電解質膜１１１の反対側）に設けられ、アノードセパレータ１２と接する。ガス拡散層１１２ｂは、充分なガス拡散性および導電性を有する部材によって形成され、例えば、炭素繊維からなる糸で織成したカーボンクロスで形成される。
【００１７】
カソード電極１１３もアノード電極１１２と同様に、触媒層１１３ａとガス拡散層１１３ｂとを備える。
【００１８】
アノードセパレータ１２は、ガス拡散層１１２ｂと接する。アノードセパレータ１２は、ガス拡散層１１２ｂと接する側にアノード電極１１２にアノードガスを供給するための複数の溝状のアノードガス流路１２１を有する。
【００１９】
カソードセパレータ１３は、ガス拡散層１１３ｂと接する。カソードセパレータ１３は、ガス拡散層１１３ｂと接する側にカソード電極１１３にカソードガスを供給するための複数の溝状のカソードガス流路１３１を有する。
【００２０】
アノードガス流路１２１を流れるアノードガスと、カソードガス流路１３１を流れるカソードガスとは、互いに平行に同一方向に流れる。互いに平行に逆方向に流れるようにしても良い。
【００２１】
このような燃料電池１０を自動車用動力源として使用する場合には、要求される電力が大きいため、数百枚の燃料電池１０を積層した燃料電池スタックとして使用する。そして、燃料電池スタックにアノードガス及びカソードガスを供給する燃料電池システムを構成して、車両駆動用の電力を取り出す。
【００２２】
図２は、本発明の第１実施形態によるアノードガス非循環型の燃料電池システム１の概略構成図である。
【００２３】
燃料電池システム１は、燃料電池スタック２と、アノードガス供給装置３と、コントローラ４と、を備える。
【００２４】
燃料電池スタック２は、複数枚の燃料電池１０を積層したものであり、アノードガス及びカソードガスの供給を受けて発電し、車両の駆動に必要な電力（例えばモータを駆動するために必要な電力）を発電する。
【００２５】
燃料電池スタック２にカソードガスを供給・排出するカソードガス給排装置、及び燃料電池スタック２を冷却する冷却装置については、本発明の主要部ではないので、理解を容易にするために図示を省略した。本実施形態ではカソードガスとして空気を使用している。
【００２６】
アノードガス供給装置３は、高圧タンク３１と、アノードガス供給通路３２と、調圧弁３３と、圧力センサ３４と、アノードガス排出通路３５と、バッファタンク３６と、パージ通路３７と、パージ弁３８と、を備える。
【００２７】
高圧タンク３１は、燃料電池スタック２に供給するアノードガスを高圧状態に保って貯蔵する。
【００２８】
アノードガス供給通路３２は、高圧タンク３１から排出されたアノードガスを燃料電池スタック２に供給するための通路であって、一端部が高圧タンク３１に接続され、他端部が燃料電池スタック２のアノードガス入口孔２１に接続される。
【００２９】
調圧弁３３は、アノードガス供給通路３２に設けられる。調圧弁３３は、高圧タンク３１から排出されたアノードガスを所望の圧力に調節して燃料電池スタック２に供給する。調圧弁３３は、連続的又は段階的に開度を調節することができる電磁弁であり、その開度はコントローラ４によって制御される。
【００３０】
圧力センサ３４は、調圧弁３３よりも下流のアノードガス供給通路３２に設けられる。圧力センサ３４は、調圧弁３３よりも下流のアノードガス供給通路３２を流れるアノードガスの圧力を検出する。本実施形態では、この圧力センサ３４で検出したアノードガスの圧力を、燃料電池スタック内部の各アノードガス流路１２１とバッファタンク３６とを含むアノード系全体の圧力（以下「アノード圧」という。）として代用する。
【００３１】
アノードガス排出通路３５は、一端部が燃料電池スタック２のアノードガス出口孔２２に接続され、他端部がバッファタンク３６の上部に接続される。アノードガス排出通路３５には、電極反応に使用されなかった余剰のアノードガスと、カソード側からアノードガス流路１２１へと透過してきた窒素や水蒸気などの不活性ガスと、の混合ガス（以下「アノードオフガス」という。）が排出される。
【００３２】
バッファタンク３６は、アノードガス排出通路３５を通って流れてきたアノードオフガスを一旦蓄える。アノードオフガス中の水蒸気の一部は、バッファタンク３６内で凝縮して液水となり、アノードオフガスから分離される。
【００３３】
パージ通路３７は、一端部がバッファタンク３６の下部に接続される。パージ通路３７の他端部は、開口端となっている。バッファタンク３６に溜められたアノードオフガス及び液水は、パージ通路３７を通って開口端から外気へ排出される。
【００３４】
パージ弁３８は、パージ通路３７に設けられる。パージ弁３８は、連続的又は段階的に開度を調節することができる電磁弁であり、その開度はコントローラ４によって制御される。パージ弁３８の開度を調節することで、バッファタンク３６からパージ通路３７を介して外気へ排出するアノードオフガスの量を調節し、バッファタンク３６内のアノードガス濃度が燃料電池システム１の運転状態に応じた所望の濃度になるように調節する。具体的には、パージ弁３８の開度は、燃料電池システム１の運転状態に応じて算出される目標出力が大きくなるほど、バッファタンク３６内のアノードガス濃度が高くなるように調節される。なお、燃料電池システム１の運転状態が同じであれば、パージ弁３８の開度を大きくするほどバッファタンク３６内の不活性ガスの濃度が低下し、アノードガス濃度が高くなる。
【００３５】
コントローラ４は、中央演算装置（ＣＰＵ）、読み出し専用メモリ（ＲＯＭ）、ランダムアクセスメモリ（ＲＡＭ）及び入出力インタフェース（Ｉ／Ｏインタフェース）を備えたマイクロコンピュータで構成される。
【００３６】
コントローラ４には、前述した圧力センサ３４の他にも、燃料電池スタック２の出力電流を検出する電流センサ４１や燃料電池スタック２を冷却する冷却水の温度（以下「冷却水温」という。）を検出する温度センサ４２、燃料電池スタック２の出力電圧を検出する電圧センサ４３、アクセルペダルの踏み込み量（以下「アクセル操作量」という。）を検出するアクセルストロークセンサ４４などの、燃料電池システム１の運転状態を検出するための信号が入力される。
【００３７】
コントローラ４は、これらの入力信号に基づいて調圧弁３３を周期的に開閉し、アノード圧を周期的に増減圧させる脈動運転を行うとともに、パージ弁３８の開度を調節してバッファタンク３６から排出するアノードオフガスの流量を調節し、バッファタンク３６内のアノードガス濃度を所望の濃度に制御する。
【００３８】
アノードガス非循環型の燃料電池システム１の場合、調圧弁３３を開いたままにして高圧タンク３１から燃料電池スタック２にアノードガスを供給し続けてしまうと、燃料電池スタック２から排出された未使用のアノードガスを含むアノードオフガスが、バッファタンク３６からパージ通路３７を介して外気へ排出され続けてしまうので無駄となる。
【００３９】
そこで、本実施形態では調圧弁３３を周期的に開閉し、アノード圧を周期的に増減圧させる脈動運転を行うのである。脈動運転を行うことで、バッファタンク３６に溜めたアノードオフガスを、アノード圧の減圧時に燃料電池スタック２に逆流させることができる。これにより、アノードオフガス中のアノードガスを再利用することができるので、外気へ排出されるアノードガス量を減らすことができ、無駄をなくすことができる。
【００４０】
以下、図３を参照して脈動運転について説明しつつ、アノード圧の減圧時にバッファタンク３６に溜めたアノードオフガスが燃料電池スタック２に逆流する理由について説明する。
【００４１】
図３は、燃料電池システム１の運転状態が一定の定常運転時における脈動運転について説明する図である。
【００４２】
図３（Ａ）に示すように、コントローラ４は、燃料電池システム１の運転状態（燃料電池スタックの負荷）に基づいて燃料電池スタック２の目標出力を算出し、目標出力に応じたアノード圧の上限値及び下限値を設定する。この下限圧から上限圧までの幅（以下「脈動幅」という。）は、目標出力が大きくなるほど大きくなる。そして、設定したアノード圧の上限値及び下限値の間でアノード圧を周期的に増減圧させる。
【００４３】
具体的には、時刻ｔ１でアノード圧が下限値に達したら、図３（Ｂ）に示すように、少なくともアノード圧を上限値まで増圧させることができる開度まで調圧弁３３を開く。この状態のときは、アノードガスは高圧タンク３１から燃料電池スタック２に供給され、バッファタンク３６へと排出される。
【００４４】
時刻ｔ２でアノード圧が上限値に達したら、図３（Ｂ）に示すように調圧弁３３を全閉とし、高圧タンク３１から燃料電池スタック２へのアノードガスの供給を停止する。そうすると、前述した（１）の電極反応によって、燃料電池スタック内部のアノードガス流路１２１に残されたアノードガスが時間の経過とともに消費されるので、アノードガスの消費分だけアノード圧が低下する。
【００４５】
また、アノードガス流路１２１に残されたアノードガスが消費されると、一時的にバッファタンク３６の圧力がアノードガス流路１２１の圧力よりも高くなるので、バッファタンク３６からアノードガス流路１２１へとアノードオフガスが逆流する。その結果、アノードガス流路１２１に残されたアノードガスと、アノードガス流路１２１に逆流したアノードオフガス中のアノードガスが時間の経過とともに消費され、さらにアノード圧が低下する。
【００４６】
時刻ｔ３でアノード圧が下限値に達したら、時刻ｔ１のときと同様に調圧弁３３が開かれる。そして、時刻ｔ４で再びアノード圧が上限値に達したら、調圧弁３３を全閉とする。
【００４７】
ここで、このような脈動運転を実施する場合、燃料電池システム１の運転状態が変化するとき、具体的には、燃料電池スタック２の目標出力が減少したときの下げ過渡運転時に、アノードガス流路１２１の内部で局所的にアノードガス濃度が他よりも低くなる部分が発生することがわかった。以下、この点について図１１及び図１２を参照して説明する。
【００４８】
図１１は、下げ過渡運転時に調圧弁３３を全閉にしてアノード圧を下限圧まで低下させた場合のアノード圧の変化を示すタイムチャートである。
【００４９】
時刻ｔ１１で、例えばアクセル操作量が減少して燃料電池スタック２の目標出力が低下すると、図１１（Ａ）に示すように、低下した目標出力に応じたアノード圧の上限値及び下限圧が設定される。また、図１１（Ａ）に示すように、目標出力低下後の脈動幅は、目標出力低下前の脈動幅よりも小さくなる。
【００５０】
このとき、図１１（Ａ）及び図１１（Ｂ）に示すように、時刻ｔ１１で調圧弁３３を全閉にしてアノード圧を下限値まで低下させると（時刻ｔ１２）、アノードガス流路１２１の内部で局所的にアノードガス濃度が他よりも低くなる部分が発生する。この理由について、図１２を参照して説明する。
【００５１】
図１２は、アノードガス流路１２１の内部で局所的にアノードガス濃度が他よりも低くなる部分が発生する理由について説明する図である。図１２（Ａ）は、下げ過渡運転時に調圧弁３３を全閉にしたときの、アノードガス流路１２１内のアノードガス及びアノードオフガスの流れを示す図である。図１２（Ｂ）は、下げ過渡運転時に調圧弁３３を全閉にしたときの、アノードガス流路１２１内のアノードガスの濃度分布を時間の経過に応じて示した図である。
【００５２】
図１２（Ａ）に示すように、調圧弁３３が全閉にされると、アノードガス流路１２１に残されたアノードガスは、アノードガスが消費されることで生じる圧力差によって、バッファタンク３６側へと流れる。そして、アノードガス流路１２１に残されたアノードガスが消費されると、一時的にバッファタンク３６の圧力がアノードガス流路１２１の圧力よりも高くなるので、バッファタンク３６側からアノードガス流路１２１へとアノードオフガスが逆流してくる。
【００５３】
そうすると、アノードガス流路１２１をバッファタンク３６側に流れるアノードガスと、バッファタンク３６側からアノードガス流路１２１へと逆流してきたアノードオフガスと、の合流部において、それぞれのガス流速がゼロとなる淀み点が発生する。
【００５４】
アノードガス流路１２１内でこのような淀み点が発生すると、前述した（１）の電極反応に使用されないアノードオフガス中の窒素が、時間の経過に応じて淀み点近傍に溜まっていく。その結果、淀み点近傍の窒素濃度が時間の経過に応じて他よりも高くなってしまい、図１２（Ｂ）に示すように、淀み点近傍のアノードガス濃度が時間の経過に応じて他よりも低くなってしまうのである。以下の説明において、この淀み点におけるアノードガス濃度のことを、必要に応じて「流路内最低アノードガス濃度」という。
【００５５】
このように、下げ過渡運転後は、アノードガス流路１２１の内部に淀み点が存在する状態となり、アノードガス流路１２１の内部で局所的にアノードガス濃度が他よりも低くなる部分が発生する。下げ過渡運転後は、調圧弁３３が開かれてアノード圧が上昇させられるが、このときのアノード圧の上昇幅が小さいと、アノードガス流路１２１の内部に淀み点が存在した状態のまま、すなわち、アノードガス流路１２１の内部で局所的にアノードガス濃度が他よりも低い部分が存在する状態のまま、脈動運転が実施されることになる。
【００５６】
このような状態から再度下げ過渡運転が実施されると、前回の下げ過渡運転時よりも流路内最低アノードガス濃度が低下してしまい、発電効率が低下したり、又は燃料電池が劣化するという問題が生じることが分かった。以下、この問題点について図１３を参照して説明する。
【００５７】
図１３は、下げ過渡運転後にアノード圧が上昇させられた後、再度下げ過渡運転が実施されたときの問題点について説明する図である。
【００５８】
図１３（Ａ）は、下げ過渡運転後にアノード圧が上昇させられた後、再度下げ過渡運転が実施されたときのアノードガス流路１２１内の淀み点の遷移を示す図である。図１３（Ｂ）は、下げ過渡運転後にアノード圧が上昇させられた後、再度下げ過渡運転が実施されたときのアノードガス流路１２１内のアノードガスの濃度分布の遷移を示す図である。
【００５９】
図１３（Ｂ）において、一点鎖線Ａは、一度目の下げ過渡運転終了後のアノードガスの濃度分布を示す線である。破線Ｂは、下げ過渡運転後にアノード圧が上昇させられた後のアノードガスの濃度分布を示す線である。実線Ｃは、アノード圧が上昇させられてから再度下げ過渡運転が実施された後のアノードガスの濃度分布を示す線である。
【００６０】
一度目の下げ過渡運転が終了すると、図１３（Ａ）に示すように、アノードガス流路１２１の内部に淀み点が存在する状態となる。また、図１３（Ｂ）に一点鎖線Ａで示すように、アノードガス流路１２１の内部で局所的にアノードガス濃度が他よりも低くなる部分が発生する。
【００６１】
下げ過渡運転後は、調圧弁３３が開かれて高圧タンク３１側からアノードガス流路１２１にアノードガスが供給され、その結果、淀み点がバッファタンク３６側へと移動する。しかしながら、このときのアノード圧の上昇幅が小さいと、図１３（Ａ）に示すように、淀み点をアノードガス流路１２１の外部まで移動させることができず、アノードガス流路１２１の内部に淀み点が残ったままの状態となる。つまり、図１３（Ｂ）に破線Ｂで示すように、アノード圧を上昇させた後もアノードガス流路１２１の内部で局所的にアノードガス濃度が他よりも低い部分が存在する状態のままとなる。
【００６２】
このような状態から再度下げ過渡運転が実施されると、図１３（Ｂ）に実線Ｃで示すように、流路内最低アノードガス濃度がさらに低下することになる。そうすると、流路内最低アノードガス濃度が所定の許容限界濃度を下回る可能性が高くなる。流路内最低アノードガス濃度が許容限界濃度を下回ると、その部分で前述した（１）及び（２）の電極反応が阻害されて電圧が負電圧に転じるおそれがあり、発電効率を低下させると共に、燃料電池１０を劣化させる原因となる。
【００６３】
そこで本実施形態では、下げ過渡運転が実施された後にアノード圧を上昇させるときは、淀み点がアノードガス流路１２１の外部まで移動するように、アノード圧の上限値を設定することとした。以下、この本実施形態による脈動運転制御について説明する。
【００６４】
図４は、本実施形態による脈動運転制御について説明するフローチャートである。
【００６５】
ステップＳ１において、コントローラ４は、各種センサの検出信号を読み込み、燃料電池システム１の運転状態を検出する。
【００６６】
ステップＳ２において、コントローラ４は、下げ過渡運転中か否かを判定する。コントローラ４は、下げ過渡運転中であればステップＳ３の処理を行い、そうでなければ今回の処理を終了する。
【００６７】
ステップＳ３において、コントローラ４は、下げ過渡運転に入る直前のアノード圧（以下「下げ過渡前アノード圧」という。）Ｐｐｒｅと、現在のアノード圧Ｐｎｏｗと、の差圧（以下「アノード圧降下量」という。）ΔＰを算出する。
【００６８】
ステップＳ４において、コントローラ４は、後述する図５のマップを参照し、アノード圧降下量ΔＰと、下げ過渡運転に入る直前のバッファタンク３６内のアノードガス濃度（以下「下げ過渡前バッファ濃度」という。）Ｃｂｕｆｆ＿ｐｒｅと、に基づいて、推定流路内最低アノードガス濃度Ｃｍｉｎを算出する。
【００６９】
ステップＳ５において、コントローラ４は、後述する図６のマップを参照し、アノード圧降下量ΔＰと、下げ過渡前アノード圧Ｐｐｒｅと、に基づいて、バッファタンク３６側のアノードガス流路１２１の端部から淀み点までの推定距離（以下「推定淀み点距離」という。）Ｌｍｉｎを算出する。
【００７０】
ステップＳ６において、コントローラ４は、アノード圧の昇圧指令があるか否かを判定する。コントローラ４は、例えばアノード圧が下限値まで低下した場合や、アノード圧が下限値まで低下する前にアクセルペダルが踏込まれた場合などに、アノード圧の昇圧指令があると判定する。コントローラ４は、アノード圧の昇圧指令があればステップＳ７の処理を行い、そうでなければ今回の処理を終了する。
【００７１】
ステップＳ７において、コントローラ４は、燃料電池スタック２の目標出力に基づいて、その目標出力で定常運転をする場合に設定される通常のアノード圧の上限値（以下「通常アノード圧上限値」という）Ｐを算出する。通常アノード圧上限値Ｐは、燃料電池スタック２の目標出力が大きくなるほど高くなる。
【００７２】
ステップＳ８において、コントローラ４は、推定流路内最低アノードガス濃度Ｃｍｉｎが判定値Ｃ０よりも小さいか否かを判定する。判定値Ｃ０は、それよりも流路内最低アノードガス濃度が低くなると、アノード圧の昇圧後、再度下げ過渡運転が実施されたときに、流路内最低アノードガス濃度が許容限界濃度を下回る可能性のある値である。コントローラ４は、推定流路内最低アノードガス濃度Ｃｍｉｎが判定値Ｃ０以上であれば、ステップＳ９の処理を行う。一方で、推定流路内最低アノードガス濃度Ｃｍｉｎが判定値Ｃ０よりも小さければ、ステップＳ１０の処理を行う。
【００７３】
ステップＳ９において、コントローラ４は、下げ過渡運転後のアノード圧の上限値を通常アノード圧上限値Ｐとし、アノード圧が通常アノード圧上限値Ｐまで増加するように調圧弁３３を制御する。
【００７４】
ステップＳ１０において、コントローラ４は、後述する図７のテーブルを参照し、推定淀み点距離Ｌｍｉｎに基づいて、淀み点をアノードガス流路１２１の外部まで移動させることが可能なアノード圧の上限値Ｐ１を算出する。以下では、このように推定淀み点距離Ｌｍｉｎに基づいて算出されたアノード圧の上限値Ｐ１を「淀み点排出アノード圧上限値Ｐ１」という。
【００７５】
ステップＳ１１において、コントローラ４は、淀み点排出アノード圧上限値Ｐ１が、通常アノード圧上限値Ｐよりも大きいか否かを判定する。コントローラ４は、淀み点排出アノード圧上限値Ｐ１が通常アノード圧上限値Ｐよりも大きければ、ステップＳ１２の処理を行う。一方で、淀み点排出アノード圧上限値Ｐ１が通常アノード圧上限値Ｐ以下であれば、ステップＳ９の処理を行う。
【００７６】
ステップＳ１２において、コントローラ４は、下げ過渡運転後のアノード圧の上限値を淀み点排出アノード圧上限値Ｐ１とし、アノード圧が淀み点排出アノード圧上限値Ｐ１まで増加するように調圧弁３３を制御する。これにより、上限圧を通常アノード圧上限値Ｐとしてアノード圧を昇圧させる場合と比較して、脈動幅をより大きくした状態でアノード圧の昇圧が実施されることになる。つまり、下げ過渡運転中に推定流路内最低アノードガス濃度Ｃｍｉｎが判定値Ｃ０以上になったときは、下げ過渡運転後の脈動幅を、目標出力に応じて設定される通常の脈動幅よりも大きくした状態でアノード圧の昇圧が実施されることになる。
【００７７】
図５は、アノード圧降下量ΔＰと、下げ過渡前バッファ濃度Ｃｂｕｆｆ＿ｐｒｅと、に基づいて、推定流路内最低アノードガス濃度Ｃｍｉｎを算出するマップである。
【００７８】
図５に示すように、下げ過渡運転中における推定流路内最低アノードガス濃度Ｃｍｉｎは、アノード圧降下量ΔＰが大きくなるほど、また、下げ過渡前バッファ濃度Ｃｂｕｆｆ＿ｐｒｅが低いときほど低くなる。
【００７９】
図６は、アノード圧降下量ΔＰと、下げ過渡前アノード圧Ｐｐｒｅと、に基づいて、推定淀み点距離Ｌｍｉｎを算出するマップである。
【００８０】
図６に示すように、下げ過渡運転中における推定淀み点距離Ｌｍｉｎは、アノード圧降下量ΔＰが大きくなるほど、また、下げ過渡前アノード圧Ｐｐｒｅが低いときほど大きくなる。
【００８１】
図７は、推定淀み点距離Ｌｍｉｎに基づいて、淀み点排出アノード圧上限値Ｐ１を算出するテーブルである。
【００８２】
図７に示すように、推定淀み点距離Ｌｍｉｎが大きくなるほど、淀み点排出アノード圧上限値Ｐ１は高くなる。
【００８３】
図８は、本実施形態による脈動運転制御の効果について説明する図である。
【００８４】
図８（Ａ）は、下げ過渡運転後にアノード圧を淀み点排出アノード上限値Ｐ１まで上昇させたときのアノードガス流路１２１内の淀み点の遷移を示す図である。図８（Ｂ）は、下げ過渡運転後にアノード圧を淀み点排出アノード上限値Ｐ１まで上昇させたときのアノードガス流路１２１内のアノードガスの濃度分布の遷移を示す図である。
【００８５】
図８（Ｂ）において、破線は、下げ過渡運転後のアノードガスの濃度分布を示す線である。実線は、下げ過渡運転後にアノード圧を淀み点排出アノード上限値Ｐ１まで上昇させたときのアノードガスの濃度分布を示す線である。
【００８６】
図８（Ａ）に示すように、下げ過渡運転後にアノード圧を淀み点排出アノード上限値Ｐ１まで上昇させることで、淀み点をアノードガス流路１２１の外部まで移動させることができる。これにより、図８（Ｂ）に実線で示すように、アノード圧の昇圧後に、アノードガス流路１２１内に局所的にアノードガス濃度が他よりも低くなる部分が残らないようにすることができる。その結果、再度下げ過渡運転が実施されたときに、流路内最低アノードガス濃度が許容限界濃度を下回るのを抑制することできるので、発電効率の安定化が図れると共に、燃料電池１０の劣化を抑制することができる。
【００８７】
（第２実施形態）
次に、本発明の第２実施形態について説明する。本実施形態は、判定値Ｃ０を通常アノード圧上限値Ｐが高いときほど大きくする点で第１実施形態と相違する。以下、その相違点を中心に説明する。なお、以下の各実施形態では上述した第１実施形態と同様の機能を果たす部分には、同一の符号を用いて重複する説明を適宜省略する。
【００８８】
下げ過渡運転中にアノード圧の昇圧指令が出たときは、基本的に燃料電池システム１の運転状態に応じて通常アノード圧上限値Ｐが設定される。
【００８９】
ここで、アノード圧を通常アノード圧上限値Ｐまで昇圧させた後に再度下げ過渡運転が実施されたときは、通常アノード圧上限値Ｐが高くなるほどその再度の下げ過渡運転中にアノード圧を下限値まで低下させるために必要な時間が長くなる。そのため、アノード圧を通常アノード圧上限値Ｐまで昇圧させたときに、淀み点がアノードガス流路１２１内に残っていると、再度の下げ過渡運転中に流路内最低アノードガス濃度が許容限界濃度を下回るおそれが高くなる。
【００９０】
そこで本実施形態では、通常アノード圧上限値Ｐが高いときほど、判定値Ｃ０が大きくなるようにした。以下、この本実施形態による脈動運転制御について説明する。
【００９１】
図９は、本実施形態による脈動運転制御について説明するフローチャートである。
【００９２】
ステップＳ２１において、コントローラ４は、通常アノード圧上限値Ｐに基づいて、判定値Ｃ０を設定する。具体的には、通常アノード圧上限値Ｐが高くなるほど、判定値Ｃ０が大きくなるようにする。
【００９３】
以上説明した本実施形態によれば、通常アノード圧上限値Ｐが高いときほど判定値Ｃ０が大きくなるようにしたので、第１実施形態と比較して、推定流路内最低アノードガス濃度Ｃｍｉｎが相対的に高い場合であっても、推定淀み点距離Ｌｍｉｎに基づいて、淀み点排出アノード圧上限値Ｐ１が算出される。そして、下げ過渡運転後にアノード圧を昇圧させるときのアノード圧の上限値が、少なくとも淀み点排出アノード圧上限値Ｐ１よりも高くなるように設定される。
【００９４】
これにより、アノード圧の昇圧後に淀み点がアノードガス流路１２１内に残らないので、再度の下げ過渡運転の時間が長くなったとしても、再度の下げ過渡運転中に流路内最低アノードガス濃度が許容限界濃度を下回るのを抑制することができる。よって、発電効率の安定化を図ることができると共に、燃料電池１０の劣化を抑制することができる。
【００９５】
（第３実施形態）
次に、本発明の第３実施形態について説明する。本実施形態は、下げ過渡運転後にアノード圧を淀み点排出アノード圧上限値Ｐ１まで昇圧させたときに、バッファタンク３６内のアノードガス濃度に基づいて、アノード圧を通常アノード圧上限値Ｐに戻す点で第１実施形態と相違する。以下、その相違点を中心に説明する。
【００９６】
前述したように、コントローラ４は、燃料電池システム１の運転状態に応じてパージ弁３８の開度を調節し、バッファ濃度（バッファタンク３６内のアノードガス濃度）Ｃｂｕｆｆが燃料電池システム１の運転状態に応じた所望の管理濃度となるように制御している。
【００９７】
バッファ濃度Ｃｂｕｆｆがこの管理濃度よりも低くなると、脈動運転時にバッファタンク３６からアノードガス流路１２１に供給されるアノードガスが少なくなって電極反応に使用されるアノードガスが不足し、発電効率が低下するおそれがある。
【００９８】
ここで、下げ過渡運転後にアノード圧が昇圧されたときは、下げ過渡運転中にアノードガス流路１２１内に溜まった窒素等の不活性ガスがバッファタンク３６に押し込まれるため、バッファタンク３６内の不活性ガス濃度が高くなり、逆にアノードガス濃度が低くなる。そのため、アノード圧の昇圧直後は、バッファ濃度Ｃｂｕｆｆが管理濃度を下回るおそれがある。
【００９９】
パージ弁３８の開度が同じであれば、アノード圧の上限値が高いときのほうが、アノード圧の昇圧時にパージ弁３８を介して燃料電池システム１の外部に排出されるアノードオフガスの流量は多くなる。つまり、パージ弁３８の開度が同じであれば、アノード圧の上限値を高くしたほうが、バッファ濃度Ｃｂｕｆｆを高くすることができる。
【０１００】
そこで本実施形態では、バッファ濃度Ｃｂｕｆｆを推定し、アノード圧の上限値を淀み点排出アノード圧上限値Ｐ１に設定したときは、バッファ濃度Ｃｂｕｆｆが管理濃度以上になるまでは、アノード圧の上限値を淀み点排出アノード圧上限値Ｐ１のまま保持することとした。そして、バッファ濃度Ｃｂｕｆｆが管理濃度以上になってから、アノード圧の上限値を通常アノード圧上限値Ｐ１に戻すこととした。以下、この本実施形態によるアノード圧の戻し制御について説明する。
【０１０１】
図１０は、本実施形態によるアノード圧の戻し制御について説明するフローチャートである。
【０１０２】
ステップＳ３１において、コントローラ４は、バッファ濃度Ｃｂｕｆｆを推定する。本実施形態では、以下のようにして、アノー圧の昇圧後のバッファ濃度Ｃｂｕｆｆを推定している。
【０１０３】
バッファ濃度Ｃｂｕｆｆは、定常運転時には燃料電池システム１の運転状態に応じた所望の管理濃度になるように制御されている。そして、下げ過渡運転に移行すると燃料電池スタック２の負荷に応じて徐々に低下していき、アノード圧が昇圧させられると、アノードガス流路１２１から不活性ガスがバッファタンク３６内に流れ込んでくるのでさらに低下する。
【０１０４】
アノード圧の昇圧時にバッファタンク３６内に流れ込んでくる不活性ガス量は、アノード圧を昇圧させる前の下げ過渡運転中にバッファタンク３６からアノードガス流路１２１へと流れ込んでアノードガス流路１２１内に蓄積された不活性ガス量と、同じく下げ過渡運転中にカソード側からアノードガス流路１２１内に透過してくる不活性ガス量と、の合計と考えることができる。
【０１０５】
ここで、下げ過渡運転中にバッファタンク３６からアノードガス流路１２１へと流れ込んでアノードガス流路１２１内に蓄積された不活性ガス量は、アノード圧降下量ΔＰに応じて予め実験等によって作成したマップ等を参照することで算出することができる。下げ過渡運転中にバッファタンク３６からアノードガス流路１２１へと流れ込んでアノードガス流路１２１内に蓄積された不活性ガス量は、アノード圧降下量ΔＰが大きいときほど多くなる。
【０１０６】
また、下げ過渡運転中にカソード側からアノードガス流路１２１内に透過してくる不活性ガス量は、電解質膜の透過率と、カソード圧及びアノード圧の差圧と、に応じて予め実験等によって作成したマップ等を参照することで算出することができる。電解質膜の透過率は電解質膜の膜圧等によって定まる物性値であり、カソード圧がアノード圧よりも高いときほど、下げ過渡運転中にカソード側からアノードガス流路１２１内に透過してくる不活性ガス量は多くなる。
【０１０７】
したがって、定常運転時のバッファ濃度Ｃｂｕｆｆと、アノード圧の昇圧時にバッファタンク３６内に流れ込んでくる不活性ガス量と、に応じてアノード圧の昇圧時におけるバッファ濃度Ｃｂｕｆｆを推定することができる。そして、アノード圧の昇圧後は燃料電池システム１の運転状態に応じて決められているパージ弁３８の開度と経過時間等に応じて、バッファ濃度Ｃｂｕｆｆを推定することができる。
【０１０８】
ステップＳ３２において、コントローラ４は、アノード圧の上限値が淀み点排出アノード圧上限値Ｐ１に設定されているか否かを判定する。コントローラ４は、アノード圧の上限値が淀み点排出アノード圧上限値Ｐ１に設定されていればステップＳ３３の処理を行い、そうでなければ今回の処理を終了する。
【０１０９】
ステップＳ３３において、コントローラ４は、バッファ濃度Ｃｂｕｆｆが管理濃度以上か否かを判定する。コントローラ４は、バッファ濃度Ｃｂｕｆｆが管理濃度よりも低ければ、ステップＳ３４の処理を行う。一方で、バッファ濃度Ｃｂｕｆｆが管理濃度以上であれば、ステップＳ３５の処理を行う。
【０１１０】
ステップＳ３４において、コントローラ４は、アノード圧の上限値を淀み点排出アノード圧上限値Ｐ１に保持したまま脈動運転を実施する。
【０１１１】
ステップＳ３５において、コントローラ４は、アノード圧の上限値を通常アノード圧上限値Ｐに戻して脈動運転を実施する。
【０１１２】
以上説明した本実施形態によれば、アノード圧の上限値を淀み点排出アノード圧上限値Ｐ１に設定したときは、バッファ濃度Ｃｂｕｆｆが管理濃度以上になった後に、アノード圧の上限値を通常アノード圧上限値Ｐに戻して脈動運転を実施することとした。これにより、アノード圧の昇圧直後に、バッファ濃度Ｃｂｕｆｆが管理濃度を下回るのを抑制することができる。よって、発電効率の安定化を図ることができると共に、燃料電池１０の劣化を抑制することができる。
【０１１３】
以上、本発明の実施形態について説明したが、上記実施形態は本発明の適用例の一部を示したに過ぎず、本発明の技術的範囲を上記実施形態の具体的構成に限定する趣旨ではない。
【０１１４】
例えば上記の第３実施形態では、アノード圧の上限値が淀み点排出アノード圧上限値Ｐ１に設定されたときは、バッファ濃度Ｃｂｕｆｆが管理濃度以上になってからアノード圧の上限値を通常アノード圧上限値Ｐに戻していた。しかしながら、アノード圧昇圧後のバッファ濃度の増加に併せて段階的にアノード圧の上限値を淀み点排出アノード圧上限値Ｐ１から通常アノード圧上限値Ｐへと戻すようにしても良い。このようにしても、第３実施形態と同様の効果を得ることができる。
【０１１５】
本願は、２０１２年１月５日に日本国特許庁に出願された特願２０１２−０００３６０号に基づく優先権を主張し、この出願の全ての内容は参照により本明細書に組み込まれる。
【図１Ａ】
0005871014.tif 000002
【図１Ｂ】
0005871014.tif 000003
【図２】
0005871014.tif 000004
【図３】
0005871014.tif 000005
【図４】
0005871014.tif 000006
【図５】
0005871014.tif 000007
【図６】
0005871014.tif 000008
【図７】
0005871014.tif 000009
【図８】
0005871014.tif 000010
【図９】
0005871014.tif 000011
【図１０】
0005871014.tif 000012
【図１１】
0005871014.tif 000013
【図１２】
0005871014.tif 000014
【図１３】
0005871014.tif 000015